(57)【要約】  【課題】  【解決手段】ユニバーサル・エアリアル及びダイマウントカムが、それぞれ、アダプタアッセンブリと、駆動部と、アダプタアッセンブリ及び駆動部に挟まれたスライドとを有する。アダプタアッセンブリが、ユニバーサルアダプタの対向する側板の弓形凹部内で角度調整可能な弓形部を有するユニバーサルアダプタを有している。ユニバーサルアダプタの座面が、スライドの第１の一群の座面及びスライドの第２の一群の座面に摺動可能に対向し、駆動部の座面に摺動可能に対向する。当該駆動部の座面は、水平方向に対して平行又は傾いている。同じスライド及びユニバーサルアダプタ及び二組の側板のうちの一組を使用することにより、３種類の範囲の駆動部の長手方向の傾斜角度に適応可能である。【選択図】図１
2008513213.tif 000002
【特許請求の範囲】
【請求項１】
鉛直方向に積み重なった関係で配置されたスライド及びアダプタアッセンブリと、
前記スライド及び前記アダプタアッセンブリ間に摺動可能に配置され、前記スライド及び前記アダプタアッセンブリを連結して、カムを間に配置可能なプレス機のプラテンを開閉させる際に相対的に摺動しうる座面と、
前記スライド及び駆動部間で相対的に摺動するよう配置された前記スライドの追加的な座面とを具え、
前記アダプタアッセンブリの一部が連続的に角度調整可能に構成され、一つのスライドが水平方向に対して傾斜していない角度から鋭角に傾いた角度までの範囲の座面を有する駆動部に適応可能であることを特徴とする改良型ユニバーサル・エアリアル又はダイマウントカム。
【請求項２】
前記アダプタアッセンブリが、前記スライドを係合移動させ弓形部を有するユニバーサルアダプタと、一組の対向する側板とを具え、
各側板が、前記ユニバーサルアダプタの前記弓形部を補完する弓形凹部を有して、前記ユニバーサルアダプタの前記弓形部を受容し、前記スライドの動作面における前記ユニバーサルアダプタの連続的な角度調整を可能にして、所望の角度調整を保持することを特徴とする請求項１に記載の改良型ユニバーサル・エアリアル又はダイマウントカム。
【請求項３】
前記スライドが、中央面と、前記中央面の対向する端縁から延びる一組の案内面と、前記案内面の外縁から延びる一組の結合面とを有する五つの面を持つ構成で配置された複数の座面を有し、前記案内面が、前記結合面に対して直角かつ前記中央面に対して鈍角に設けられ、
前記ユニバーサルアダプタが、前記スライドの五つの面を持つ構成を補完する五つの面を持つ構成で配置された複数の座面を有し、前記複数の座面が、前記スライドの前記中央面に対向する中央面と、前記スライドの前記案内面に対向するよう前記カムアダプタの前記中央面の対向する端縁から延びる一組の案内面と、当該案内面の外縁から他方に向かって延びる一組の結合面とを有し、前記中央面が、前記スライド及びカムアッセンブリの主要な荷重方向に対して実質的に垂直に設けられ、
前記ユニバーサルアダプタが、さらに、一組の留め板を有し、各留め板が前記スライドの一組の結合面に別々に固定され、ユニバーサルアダプタの対向する結合面に摺動可能に重なり、前記スライド及びユニバーサルアダプタを協動するよう結合することを特徴とする請求項２に記載の改良型ユニバーサル・エアリアル又はダイマウントカム。
【請求項４】
前記アダプタアッセンブリが、さらに、少なくとも一つの締結部材を具えて、前記ユニバーサルアダプタ及び前記側板間の所望の角度関係を保持することを特徴とする請求項３に記載の改良型ユニバーサル・エアリアル又はダイマウントカム。
【請求項５】
さらに、前記対向する中央面及び案内面に固定された対向する二枚の摩耗板と、
前記ユニバーサルアダプタの各々の前記結合面に固定された一枚の摩耗板とを具えていることを特徴とする請求項１に記載の改良型ユニバーサル・エアリアル又はダイマウントカム。
【請求項６】
さらに、前記スライドが前進するときに圧縮されて前記スライドを引っ込めるよう伸びる弾性部材を具えていることを特徴とする請求項１に記載の改良型ユニバーサル・エアリアル又はダイマウントカム。
【請求項７】
前記弾性部材がコイルスプリングであることを特徴とする請求項６に記載の改良型ユニバーサル・エアリアル又はダイマウントカム。
【請求項８】
前記弾性部材がガススプリングであることを特徴とする請求項６に記載の改良型ユニバーサル・エアリアル又はダイマウントカム。
【請求項９】
さらに、前記スライドの後部がその戻し位置に達するときに戻る前記スライドの衝撃を和らげる衝撃吸収部材を有することを特徴とする請求項６に記載の改良型ユニバーサル・エアリアル又はダイマウントカム。
【請求項１０】
前記衝撃吸収部材が弾性緩衝器であることを特徴とする請求項６に記載の改良型ユニバーサル・エアリアル又はダイマウントカム。
【請求項１１】
前記衝撃吸収部材が油圧衝撃吸収器であることを特徴とする請求項６に記載の改良型ユニバーサル・エアリアル又はダイマウントカム。
【請求項１２】
さらに、前記スライドを係合移動させる駆動部を具え、
前記駆動部が、横方向に傾斜した一組の座面を有し、
前記スライドが、前記駆動部の横方向に傾斜した一組の座面を補完して対向する二つの面構成で配置された横方向に傾斜した座面を有していることを特徴とする請求項１に記載の改良型ユニバーサル・エアリアル又はダイマウントカム。
【請求項１３】
前記駆動部が、固定された長手方向の傾斜部を有していることを特徴とする請求項１２に記載の改良型ユニバーサル・エアリアル又はダイマウントカム。
【請求項１４】
前記駆動部が、調整可能な長手方向の傾斜部を有していることを特徴とする請求項１２に記載の改良型ユニバーサル・エアリアル又はダイマウントカム。
【請求項１５】
前記駆動部が、駆動ベース及び前記駆動ベースに支持されたＶブロックを具え、
前記Ｖブロックが、前記スライドの前記横方向に傾斜した一組の座面に対向する横方向に傾斜した一組の座面を有することを特徴とする請求項１２に記載の改良型ユニバーサル・エアリアル又はダイマウントカム。
【請求項１６】
前記スライドが、さらに、一組の摩耗板を具え、
各々の前記摩耗板が、前記スライドの前記横方向に傾斜した座面に別々に固定されていることを特徴とする請求項１２に記載の改良型ユニバーサル・エアリアル又はダイマウントカム。
【請求項１７】
さらに、前記スライドの両側に固定された確動戻し部材を具え、各確動戻し部材が突出部を有し、
前記駆動部の前記駆動ベースが、前記横方向に傾斜した座面の長手方向の傾きと同じ傾きで両側の一部に沿って延びる細長いスロットを有し、
前記確動戻し部材の前記突出部が、各細長いスロット内に摺動可能に受容されることを特徴とする請求項１６に記載の改良型ユニバーサル・エアリアル又はダイマウントカム。
【請求項１８】
さらに、前記スライドに回転可能に支持されたローラと、
弓形傾斜面を有し前記駆動部に固定された傾斜台とを具え、
前記ローラが、前記プレス機が前記スライド及び前記駆動部アッセンブリに共に力を加えるときに、前記弓形傾斜面と協動して前記スライドを前進させ、前記弓形傾斜面が前記スライドを徐々に加速するよう力を伝えることを特徴とする請求項１２に記載の改良型ユニバーサル・エアリアル又はダイマウントカム。
【請求項１９】
鉛直方向に積み重なり、いずれも相対的に摺動可能な関係で配置され、プレス機のプラテンの間に介在して前記プラテンの開閉に応じて摺動するスライド、付随するアダプタアッセンブリ及び駆動部を組み合わせて具え、
前記アダプタアッセンブリが前記スライドに対して連続的に角度調整可能で、一つのスライドが、水平方向に対して傾斜していない角度から鋭角に傾いた角度までの範囲の座面を有する駆動部に適応可能である改良型ユニバーサル・エアリアル又はダイマウントカム。
【発明の詳細な説明】
【技術分野】
【０００１】
本発明は、概してエアリアル及びダイマウントカムに関し、特に、特注の付属部品を必要としないで、広い範囲の角度内の摺動を与える同一のスライド及び他の部品を用いてその組立を容易にするよう構成された改良型ユニバーサルカムに関する。
【背景技術】
【０００２】
エアリアル及びダイマウントカムは、多くの場合、被加工材料の穴抜き、トリミング、打ち抜き及び曲げといった製造作業のための工具を動作させるのに使用される。これらの装置は、プレス機により加えられる下向き及び上向きの力を、横方向に工具を前進又は後退させて上記の作業を成し遂げる横方向の成分の力に変える構成要素を有している。
【０００３】
多種多様なカムのアプリケーションが、それに比例した数の異なる部品構成をもたらし、所望の方向に工具を移動させるように作製する要求に適応している。典型的に、カムの主要な部品は、プレス機の一組のプラテンのうちの一方に取り付けられたアダプタアッセンブリ、一組のプラテンの他方に取り付けられた駆動部、及びアダプタアッセンブリ及び駆動部間に配置され、プラテンが近付くよう又は離れるよう力を受けるときに強制的に前進及び後退されられるスライドを含んでいる。
【発明の開示】
【発明が解決しようとする課題】
【０００４】
水平方向に対してスライドが強制的に移動する角度は、駆動部の傾斜方向である。このため、スライド及び／又はアダプタアッセンブリは、駆動部の傾斜に合致するよう構成する必要がある。従って、典型的なカムは、関連する駆動部が有するのと同じ数の構成を有するアダプタアッセンブリ及び／又はスライドを必要としている。このため、カムの設計、製造、組立時に節約される費用及び時間の観点からすれば、唯一の構成を各々有するスライド及びアダプタアッセンブリを要するカムを製造し、広い角度にわたるスライドの動きを与えることは、有益なことである。同様な有益性が、唯一の構成を有するスライド及び唯二つの構成を有するアダプタアッセンブリを要するカムを製造して、追加の角度にわたるスライドの動きを与えることからもたらされる。
【課題を解決するための手段】
【０００５】
上述の目的を実施するために、基本的に互いに上下反転した形式であるエアリアル及びダイマウントカムが、各々鉛直方向に積み重なった関係で配置されたスライド及びアダプタアッセンブリを有している。スライド及びアダプタアッセンブリを繋ぎ、カムを間に配置可能なプレス機のプラテンを開閉させるよう相対的に摺動する座面が、スライド及びアダプタアッセンブリ間で摺動可能に配置されている。
【０００６】
追加の座面がスライドに配置されて、スライド及び駆動部間で相対的に摺動する。アダプタアッセンブリは、漸進的ではなく連続的に角度調整可能で、水平方向に対して傾斜していない角度から鋭角に傾いた角度までの範囲の座面を有する駆動部に適応する。
【０００７】
アダプタアッセンブリは、スライドに係合して移動させるユニバーサルアダプタと、さらに、一組の対向する側板とを有する。ユニバーサルアダプタは、弓形部を有し、各側板は、ユニバーサルアダプタの弓形部を補完する弓形凹部を有する。側板の弓形凹部は、ユニバーサルアダプタの弓形部を受容し、ユニバーサルアダプタの所望の角度調整を可能にする。
【０００８】
スライドは、中央面、中央面の端部に向かって互いに横方向に傾斜した一組の案内面、及び、案内面の外縁から他方に向かって横方向に傾斜した一組の結合面を含む五つの面を持つ構成で配置された複数の面を有する。案内面は、結合面に対して直角に、中央面に対して鈍角に配置されている。また、スライドは、スライドが前進するときに縮まってスライドを戻すよう伸びる弾性部材を有している。
【０００９】
ユニバーサルアダプタは、スライドの五つの面を持つ構成で配置された複数の面を有する。この構成は、スライドの中央面に対向する中央面、カムアダプタの中央面の端部に向かって互いに延びてスライドの案内面に対向する一組の案内面、及び、当該一組の案内面の外縁から他方に向かって延びる一組の結合面を有する。中央面は、スライド１４及びカムアッセンブリの主要な荷重方向に対して実質的に垂直に配置されている。また、ユニバーサルアダプタは、一組の留め板を有しており、各々はスライドの一組の結合面に別々に固定されている。各留め板は、ユニバーサルアダプタの対向する結合面に摺動可能に重なり、スライド及びユニバーサルアダプタを協動するように結合する。
【００１０】
上記のエアリアル及びダイマウントカムの構成は、費用及び時間を節約する製造及び現場での組立効率をもたらし、一方で、高い負荷に耐えることのできる精密で安定した長持ちするカムを提供する。
【発明を実施するための最良の形態】
【００１１】
図面は、全て典型的なエアリアルカムを表しているが、当業者にとって当然のことながら、それらを上下反転させるのに要するよりも少しの手間をかければ、表されているエアリアルカムをダイマウントカムに変えることが可能である。このため、以下のエアリアルカムの記載及び定義は、ダイマウントにも適用する。また、当然のことながら、中央、案内及び結合面として言及する部材の表面及びそれらに関連する摩耗板は、それぞれのカムの少なくとも一部の動作の間、支持面としての機能を果たす。
【００１２】
図３，４，５，６，７及び１１は、カムの内部の詳細を全て表しているものではないことに注意されたい。しかしながら、図１，２，８，９及び１０は、内部構造の詳細を表す部分拡大図である。これらの図は、カムの一方の面及び後部の側面及び斜視図を表す。図示していないが、各々の反対側の面及びそこに設けられている部品及び形状は、図示されている側の部品及び形状の鏡像である。
【００１３】
図１及び図２に、全体として符号１０で示され、本発明の典型例であるエアリアルカムの斜視図を示す。このカム１０は、全体として符号１２で示すカム駆動部材又はアダプタアッセンブリ、工具保持部材又はスライド１４、及び全体として符号１６で示す駆動部を有する。アダプタアッセンブリ１２は、スライド１４に係合及び摺動するユニバーサルアダプタ１８と、対向する側板２０及び２２とを有している。ユニバーサルアダプタ１８は、全体として符号３５で示す弓形部３５を有し、各側板２０及び２２は、ユニバーサルアダプタ１８の弓形部３５を補完する弓形凹部２９を有している。各側板２０及び２２の弓形凹部２９は、ユニバーサルアダプタ１８の弓形部３５を受け、ユニバーサルアダプタ１８の漸進的ではなくむしろ連続的な角度調整を可能にする。そして、ユニバーサルアダプタ１８は、ボルト２８及びキー溝３９に嵌るキー３７（図７）といった部品で固定した状態で側板２０及び２２に対して所望の角度に保持される。また、側板２０及び２２は、ボルト３０といった締結具により互いに固定され、ボルト３２（図７）といった締結具によりプレス機（図示せず）の上部プラテン３４（図７）に固定されている。駆動部１６は、駆動ベース２４及びＶブロック２６を有している。駆動部のＶブロック２６は、その頂部に沿って長手方向に延びるスロット２７を有し、キー溝３１（図１，２及び８）に嵌合するキー３３により適切な位置に固定され、Ｖブロック２６に通されるボルト３６といった締結具により駆動ベース２４に固定されている。駆動ベース２４は、プレス機（図示せず）の下部プラテン３８（図７）にボルト３２（図７）といった締結具で固定されている。
【００１４】
ローラ４０は、ローラシャフト４２に回転可能に支持されており、これがローラシャフト４２を通ってスライド１４に入るボルト４４（一つのみ示す）といった締結具によりスライド１４に固定されている。弓形傾斜面４８（図１及び８）を有する傾斜台４６が、ボルト４９及び５０（図２及び８）といった締結具によりスロット２７の中でＶブロック２６に固定されている。ローラ４０は、弓形傾斜面４８（図１）に整合しており、プレス機（図示せず）がスライド１４及び駆動部１６を一緒に押しやるときに、スライド１４を前進させ、弓形傾斜面がスライドに力を伝える。注目すべきは、傾斜台４６及びローラ４０が、必ずしもカム１０の動作に必要ではないが、スライドからＶブロック２６に向かう下向きの力を、スライド１４を前進させる長手方向の力に徐々に方向を変えるために使用可能であることである。
【００１５】
一組の確動戻し部材５６（図４及び５）及び５４（図５）が、ボルト５８といった締結具によりスライド１４の側面に固定されている。確動戻し部材５４及び５６は、確動戻し部材５４及び５６をスライド１４に固定するボルト５８から遠位の端部に、ほぼ矩形の突出部５９（図１０）及び６０（図１，２，３，５及び６）を各々有している。駆動ベース２４は、その両側の一部に沿って延びる細長いスロット５２（図３，４，６，７及び１１）を有し、このスロット５２に突出部５９及び６０が摺動可能に延びている。細長いスロット５２は、Ｖブロック２６と同じ長手方向の傾きで延びている。
【００１６】
図８のライン９−９に沿った断面図である図９に示すように、スライド１４は、中央面７０、中央面７０の両端部に向かって互いに横方向に傾斜した一組の案内面７２及び７４、及び、案内面７２及び７４の外縁から横方向反対側に傾斜した一組の結合面７６及び７８を含む五つの面を持つ構成の第１の一群の面を有する。案内面７２及び７４は、結合面７６及び７８に対して直角に、中央面７０に対して鈍角に設けられている。中央面７０は、スライド１４及びカムアッセンブリ１２（図１）の主要な荷重方向に対して実質的に垂直に配置されている。
【００１７】
アダプタアッセンブリ１２（図１）のユニバーサルアダプタ１８は、スライドの第１の一群の面の五つの面を持つ構成を補完する五つの面を持つ構成で配置された一群の面を有する。ユニバーサルアダプタの面構成は、スライド１４の中央面７０に対向する中央面８０、中央面８０の両端部に向かって互いに延びてスライド１４の案内面７２及び７４に対向する一組の案内面８２及び８４、及び、案内面８２及び８４の外縁から延びる一組の結合面８６及び８８を有する。
【００１８】
スライド１４の中央面は、好ましくは自己潤滑性材料で作られ、ボルト９１（図８）といった締結具により中央面７０に固定された摩耗板９０を有している。スライド１４の案内面７２，７４は、好ましくは自己潤滑性材料で作られ、ボルト（図示せず）といった締結具により案内面７２，７４に固定された摩耗板９２，９４を各々有している。ユニバーサルアダプタ１８の中央面８０は、ボルト９３（図８）といった締結具により中央面８０に固定され、対向する摩耗板９０に摺動可能に接触する摩耗板１０１を有している。ユニバーサルアダプタ１８の案内面８２及び８４は、ボルト（図示せず）といった締結具により各々案内面８２及び８４に固定され、対向するスライド１４の摩耗板９２及び９４に摺動可能に接触する摩耗板１０２及び１０４を有している。ユニバーサルアダプタ１８の結合面８６及び８８は、好ましくは自己潤滑性材料で作られ、ボルト９９（図２）といった締結具により結合面８６及び８８に固定された摩耗板９６及び９８を有している。一組の留め板１０６及び１０８が、ボルト１０７，１０９，１１１，１１３といった締結具によりスライド１４の結合面７６及び７８に固定されている。これらの留め板は、対向する摩耗板９６及び９８のうちの一つに重なって摺動可能に接触し、スライド１４及びユニバーサルアダプタ１８が協動するように結合させる面１１０及び１１２を各々有している。
【００１９】
図８のライン１０−１０に沿った断面図である図１０を参照すると、スライド１４は、Ｖブロック２６のスロット２７に対向するスロット１１４を有している。ローラ４４及び傾斜台４６（図８）の一部がスロット１１４の中に位置している。一組の案内面１１６及び１１８が、スライド１４のスロット１１４の縁部から延びており、一組の案内面１２０及び１２２が、スライド１４の案内面１１６及び１１８に対向するようにしてＶブロックのスロット２７から延びている。一組の摩耗板１２４及び１２６は、好ましくは自己潤滑性材料で作られ、ボルト１２５（図２）といった締結具により駆動部１４の案内面１１６及び１１８に固定され、対向するＶブロックの案内面１２０及び１２２に摺動可能に接触している。
【００２０】
図８の断面図に示すように、本発明に係るカムのユニバーサルアダプタ１８は、長穴１３４といった通路を有し、スライド１４に固定されたスプリングブラケット１３０に取り付けられたコイルスプリング１２８又はガススプリング（図示せず）といった弾性部材を含んでいる。コイルスプリング１２８は、穴１３４を通って延びており、スライド１４が前進するときに穴１３４の固定端の方に圧縮させる。スライド１４は、スプリング１２８が後に開放されることにより強制的に引っ込められる。また、ユニバーサルアダプタ１８に固定されて、戻るスプリングブラケット１３０及びスライド１４の後部がその戻し位置に達したときの衝撃を和らげる弾性緩衝器又は油圧衝撃吸収器１３２といった衝撃吸収部材が示されている。
【００２１】
再び図１及び図２を参照すると、カムの組立中に、側板２０及び２２に対するユニバーサルアダプタ１８の角度関係が、特定の駆動部１６の長手方向の傾斜角に適応するよう調整される。弓形形状を有するユニバーサルアダプタ１８の一部分３５において、側板２０及び２２のキー溝とキー溝３９とが合致してキー３７（図７）を受容するようキー溝が形成されている。複数の穴が側板２０及び２２を通してユニバーサルアダプタ１８に開けられており、ボルト２８（図７）が、キー３７とともに、側板２０及び２２に対するユニバーサルアダプタ１８の位置を保持するよう挿入されている。
【００２２】
スライド１４に取り付けられた典型的な工具６４が、典型的な工具ホルダ６６とともに示されている。駆動部２４は、図１，２及び６乃至１０に示すように、長手方向に３０°傾斜している。スライド１４、及びスライド１４に取り付けられた工具６４は、その角度で前進する。ユニバーサルアダプタ１８及びアダプタアッセンブリ１２の側板２０及び２２がこのように構成されているため、３０°から５０°の間で長手方向に傾斜した駆動部１６に、同じスライド１４及びアダプタアセンブリ１２を適応可能である。
【００２３】
図３、図４及び５は、傾いていない駆動ベース２３を有する駆動部１５を示している。側板１９及び２１は、長手方向の傾斜が異なる駆動部に使用されるそれら（２０及び２２）と多少異なる形をしているが、スライド１４及びアダプタアッセンブリ１３のユニバーサルアダプタ１８は、同じである。ユニバーサルアダプタ１８及び側板１９及び２１がこのように構成されているため、０°から３０°の間で長手方向に傾斜した駆動部１５に、同じスライド１４及びアダプタアセンブリ１２を適応可能である。
【００２４】
図１１は、長手方向に５０°傾斜している駆動部１７を示している。側板（一枚の板２２のみ示す）は、長手方向に３０°から５０°傾斜している駆動部１６に使用されるものと同じであるが、それらは図示するように左右反転している。ユニバーサルアダプタ１８及び側板２０及び２２がこのように構成されているため、長手方向に５０°から６０°傾斜している駆動部１７に、同じスライド１４及びアダプタアセンブリ１２を適応可能である。
【００２５】
ここで、図１及び図２に示すエアリアルカム１０を用いて、カムの動作を説明する。アダプタアッセンブリ１２の側板２０及び２２がプレス機（図示せず）の上部プラテン３４（図７）により下方に押されると、側板２０及び２２に固定されたユニバーサルカム１８が、スライド１４の中央面７０及び案内面７２及び７４に付随する力（ａｔｔｅｎｄｉｎｇ  ｆｏｒｃｅ）を加える。スライド１４は、次に、駆動部のＶブロック２６の案内面１２０及び１２２（図１０）に力を加える。本明細書及び本請求項に記載された全てのエアリアルカムの構成において、ユニバーサルアダプタ１８とスライド１４の接触面、及び、スライド１４と駆動部のＶブロック２６の接触面のうちの少なくとも一箇所が、水平面に対して長手方向に傾斜しているため、横方向の成分の力によりスライド１４が前進する。工具ホルダ６６によりスライド１４に固定されている工具６４は、被加工材料（図示せず）に向けて前進する。
【００２６】
側板２０及び２２が、プレス機（図示せず）の上部プラテン３４（図７）により上に引っ張られるときに、側板２０及び２２に固定されたユニバーサルカム１８が、スライド１４に固定された留め板７６及び７８の面１１０及び１１２に上向きの力を加える。結果として生じるユニバーサルカム１８の上方への移動が、スライド１４と圧縮バネ１２８から負荷を除去し、それが伸びてスライド１４を強制的に戻す。また、確動戻し部材５４及び５６（図５）がスライド１４に固定され、その突起部５９（図１０）及び６０（図１，２，３，５，６及び１０）が駆動部のＶブロック２６の両側の一部に沿って延びる細長いスロット（図３，４，６，７及び１１でスロット５２のみ示す）の中で摺動可能である。スライド１４が上に引っ張られるときに、上向きの力が突出部５９（図１０）及び６０（図１，２，３，５，６及び１０）により駆動部１６に加えられる。駆動部１６は、プレス機（図示せず）の下部プラテン３８により支持されているため、スライド１４が力を受けてＶブロック２６及び細長いスロット５２の長手方向の傾斜と平行な方向に戻る。このように、確動戻し部材５４及び５６（図５）は、スライド１４を戻すための確動する付加的な手段を与える。
【００２７】
ダイマウントカムは、事実上エアリアルカム１０の上下逆転した実施形態であるため、その動作は基本的に上記のエアリアルカム１０のそれと同じである。
【００２８】
特別注文の付属部品を必要としない部品を有する上記のようなエアリアル及びダイマウントカムの構成によれば、製造及び現場での組立効率が増加して費用及び時間を節約し、一方で、高い負荷に耐えることのできる精密で安定した長持ちするカムを提供する。
【００２９】
本発明に係る実施例が図示され記載されているが、これらの実施例が、本発明の全ての可能な形態を図示し記載することを意図するものではない。むしろ、本明細書に使用された用語は、制限よりも説明の用語であり、当然のことながら様々な変形が、本発明の精神と範囲から逸脱することなくなされる。
【図面の簡単な説明】
【００３０】
【図１】図１は、ローラカムの外観図で、駆動部、カムローラ、スライド及びカムアダプタの組み合わせを示す。
【図２】図２は、図３と同様な斜視図であり、エアリアルカムの後部及び側部を示す。
【図３】図３は、傾斜した駆動部を有するエアリアルカムの図１と同様な斜視図である。
【図４】図４は、図３のエアリアルカムの側面図で、０°から３０°の範囲内で傾斜した駆動部を受容するよう調整可能なカムを示す。
【図５】図５は、図４のエアリアルカムの正面図である。
【図６】図６は、図１及び図２の組み立てられたカムの斜視図である。
【図７】図７は、図６のエアリアルカムの側面図で、３０°から５０°の範囲内で傾斜した駆動部を受容するよう調整可能なカムを示す。
【図８】図８は、図６のエアリアルカムのライン８−８に沿った断面図で、スライドのリターンスプリングブラケット及びスライドリターン緩衝器を付加的に示す。
【図９】図９は、図８のエアリアルカムの一部を示すライン９−９に沿った断面図である。
【図１０】図１０は、図８のエアリアルカムの一部を示すライン１０−１０に沿った断面図である。
【図１１】図１１は、図７と同様なエアリアルカムの斜視図で、アダプタアッセンブリのユニバーサルアダプタの一部のゴースト線を付加的に有し、５０°から６０°の範囲内で傾斜した駆動部を受容するよう調整可能なカムを示す。
【図１】
2008513213.tif 000003
【図２】
2008513213.tif 000004
【図３】
2008513213.tif 000005
【図４】
2008513213.tif 000006
【図５】
2008513213.tif 000007
【図６】
2008513213.tif 000008
【図７】
2008513213.tif 000009
【図８】
2008513213.tif 000010
【図９】
2008513213.tif 000011
【図１０】
2008513213.tif 000012
【図１１】
2008513213.tif 000013
【国際調査報告】
2008513213.tif 000014